(57)【要約】【課題】  紙粉の発生、紙片詰まりを減少して、紙片を細かすぎない短寸法に切断できるようにする。【解決手段】  ブロアケース２内に羽根体３を回転自在に設け、ブロアケース２の吸引口Ｓに環状の固定刃４を設ける。前記固定刃４には風下側の羽根３Ａに向けて突出する刃山４ａと径外方向に風が通り抜け可能な刃谷４ｂとを連続して形成する。固定刃４は内周側が吸引口Ｓとなる円筒部材であって、その風下側の周縁に鋸形状の刃４ａ、４ｂを形成する。【選択図】図１
2013248595.tif 000002
【特許請求の範囲】
【請求項１】
ブロアケース（２）内に羽根体（３）を回転自在に設け、ブロアケース（２）の吸引口（Ｓ）に環状の固定刃（４）を設けた切断送風機であって、
前記固定刃（４）には風下側の羽根（３Ａ）に向けて突出する刃山（４ａ）と径外方向に風が通り抜け可能な刃谷（４ｂ）とが連続して形成されていることを特徴とする切断送風機。
【請求項２】
前記固定刃（４）は内周側が吸引口（Ｓ）となる円筒部材であって、その風下側の周縁に鋸形状の刃（４ａ、４ｂ）が形成されていることを特徴とする請求項１に記載の切断送風機。
【発明の詳細な説明】
【技術分野】
【０００１】
本発明は、紙の耳等の紙片を切断処理する切断送風機に関する。
【背景技術】
【０００２】
印刷工程等で紙の端部を断裁して揃えたときに、取り除かれた部分の紙として耳（紙片）が発生するが、その紙の耳を切断処理する切断送風機として、特許文献１に記載のものがある。この切断送風機は、ブロアケース内に回転軸を介して羽根体を設け、ブロアケースの吸引口に環状の固定刃を設け、この固定刃と協働して紙片を切断する可動刃を回転軸に設けている。
【０００３】
前記環状の固定刃は刃山が径内方向に突出しており、可動刃は吸引口を軸方向に通る紙片に螺旋力及び遠心力を加えて、固定刃に押し付けながら切断し、カット紙片を羽根体で吐出口へ放出している。
【先行技術文献】
【特許文献】
【０００４】
【特許文献１】実公昭５０−３６７４３号公報
【発明の概要】
【発明が解決しようとする課題】
【０００５】
前記従来技術は、固定刃の刃山及び刃谷に紙片を押し付けながら切断するので、良く切断できるが、カット紙片が細かくなりすぎて紙粉を多量に発生したり、刃谷に紙片が詰まったりすることがあり、長尺の連続紙片を、細かすぎない短寸法のカット紙片に加工することが困難になっている。
本発明は、このような従来技術の問題点を解決できるようにした切断送風機を提供することを目的とする。
【０００６】
本発明は、ブロアケース内に軸方向に吸引される紙片が固定刃の刃谷を径外方向に通り抜けるときに切断することにより、紙粉の発生、紙片詰まりを減少して、紙片を細かすぎない短寸法に切断できるようにした切断送風機を提供することを目的とする。
【課題を解決するための手段】
【０００７】
本発明における課題解決のための具体的手段は、次の通りである。
第１に、ブロアケース２内に羽根体３を回転自在に設け、ブロアケース２の吸引口Ｓに環状の固定刃４を設けた切断送風機であって、
前記固定刃４には風下側の羽根３Ａに向けて突出する刃山４ａと径外方向に風が通り抜け可能な刃谷４ｂとが連続して形成されていることを特徴とする。
【０００８】
第２に、前記固定刃４は内周側が吸引口Ｓとなる円筒部材であって、その風下側の周縁に鋸形状の刃４ａ、４ｂが形成されていることを特徴とする。
【発明の効果】
【０００９】
本発明によれば、紙粉の発生、紙片詰まりを減少して、紙片を細かすぎない短寸法に切断できる。
即ち、請求項１に係る発明は、環状の固定刃４には、風下側の羽根３Ａに向けて突出する刃山４ａと径外方向に風が通り抜け可能な刃谷４ｂとが形成されているので、長尺の紙片Ｐは刃谷４ｂを通過するときに切断され、刃谷４ｂの奥方向へ押し付けられる力が小さく、紙粉の発生及び紙片詰まりが少なく、よって紙片Ｐを細かすぎない短寸法に切断できる。
【００１０】
請求項２に係る発明は、固定刃４は円筒部材の周縁に鋸形状の刃４ａ、４ｂを形成するだけで簡単に構成できる。
【図面の簡単な説明】
【００１１】
【図１】本発明の実施形態を示す全体側面図である。
【図２】同要部の断面側面図である。
【図３】同全体正面図である。
【発明を実施するための形態】
【００１２】
以下、本発明の実施の形態を図面に基づいて説明する。
図１〜３において、切断送風機１はブロアケース２の背面側に台６を介して原動機（電動モータ）７を配置し、この原動機７の出力軸７Ａをブロアケース２内に突出して羽根体３を装着している。
ブロアケース２は円形の胴部２Ａの正面側に吸引口Ｓを形成する吸引口金２Ｂを固定し、胴部２Ａの外周一側上部に吐出口Ｖを形成しており、吸引口金２Ｂは円形のフランジ部２ａが胴部２Ａの羽根体３を挿入するために形成した開口２ｂを塞いでいる。
【００１３】
ブロアケース２は胴部２Ａ内に配置した羽根体３の回転によって、吸引口Ｓから出力軸７Ａと平行（軸方向）に吸引した空気及び紙片Ｐを、径外方向及び円周方向に変向して、吐出口Ｖから吐出する。
羽根体３は出力軸７Ａに嵌合するボス部３Ｂに円板３Ｃを固定し、これらボス部３Ｂと円板３Ｃとに放射状に羽根３Ａを固定しており、羽根３Ａは周方向等間隔に複数枚（実施形態では４枚）配置されている。
【００１４】
ブロアケース２の吸引口金２Ｂには円筒部材で形成した固定刃４が固定されており、この固定刃４は内周側が実質的な吸引口Ｓを形成しており、羽根体３と対向する風下側の周縁には刃が環状に形成されている。この刃は鋸形状で、刃山４ａと刃山４ａ間の刃谷４ｂとを連続形成している。
固定刃４の刃山４ａは、固定刃４よりも風下側に位置する羽根３Ａに向けて突出していて紙片Ｐを切断可能である。刃谷４ｂは刃山４ａから風上側に後退しており、吸引口Ｓから軸方向に入ってくる風及び紙片Ｐが径外方向に通り抜け可能になっている。
【００１５】
前記固定刃４は、筒部材の縁に刃を切削形成してもよいが、刃を切削した帯鋸を丸めて環状にしてもよい。刃谷４ｂは紙片Ｐが挿通できる大きさに形成されている。
前記各羽根３Ａの幅方向側縁３ａ（吸引口金２Ｂに近い側の縁）は、固定刃４の刃山４ａに接触することなく近接していて、出力軸７Ａを中心とする径方向で吸引口Ｓとオーバラップする位置から径外側に長く配置されている。
【００１６】
次に、切断送風機１における紙片Ｐの切断動作を説明する。
図１、２に示すように、印刷工程等で紙の端部を断裁したときに発生する長尺の紙片（耳紙片）Ｐを、羽根体３の回転によって吸引口Ｓから空気と共に吸引すると、吸引口Ｓ内では軸方向に流動した紙片Ｐが、固定刃４から羽根体３へ至るときに旋回しながら径外方向（遠心方向）の流動に変向される。
【００１７】
紙片Ｐの先端は羽根体３の羽根３Ａ間にも入るが、固定刃４の刃山４ａと刃山４ａとの間、即ち、刃谷４ｂにも入り、特に紙片Ｐの後続部分は、軸方向に動いている状態で、先端が旋回方向及び径外方向に動くので、刃谷４ｂを曲がって通り抜けながら刃山４ａに当たって切断されることになる。
刃谷４ｂに入る紙片Ｐは、軸方向の風によって刃山４ａの尖端側へ押し動かされる力を受けるが、刃谷４ｂの奥側へ押動する力は発生しなく、そのため刃谷４ｂに詰まるということが回避される。
【００１８】
羽根３Ａは、紙片Ｐを引っ掛けて旋回させて固定刃４の刃山４ａに当てる作用をする。
なお、本発明は前記実施形態における各部材の形状及び位置関係は、図１〜３に示すように構成することが最良である。しかし、前記実施形態に限定されるものではなく、部材、構成を種々変形したり、組み合わせを変更したりすることもできる。
例えば、固定刃４は、縦挽鋸、横挽鋸等が適用でき、接触抵抗を減少させる「あさり」はなくてもよく、刃山と刃谷の形状が三角形であるが、四角形その他の形状でもよい。
【００１９】
固定刃４を吸引口金２Ｂに対して着脱自在にかつ軸方向位置調整自在にしたり、固定刃４と吸引口金２Ｂとを一体物にしたりしてもよい。
羽根３Ａの側縁３ａに刃を着脱自在に設けて、紙粉の発生し難い材料また切り粉の発生が許容される材料の切断に適用してもよい。
【符号の説明】
【００２０】
１        切断送風機
２        ブロアケース
３        羽根体
３Ａ      羽根
３ａ      幅方向側縁
４        固定刃
４ａ      刃山
４ｂ      刃谷
Ｐ        紙片
Ｓ        吸引口
【図１】
2013248595.tif 000003
【図２】
2013248595.tif 000004
【図３】
2013248595.tif 000005